(57)【要約】【課題】設定された宛先へ画像データを送信する前にアーカイブ先への画像データの送信を確実に行うことを可能とした画像データ送信装置、制御方法、及びプログラムを提供する。【解決手段】画像データ送信装置は、ＣＰＵ１０１、スキャナ部１０４、プリンタ部１０５、回線Ｉ／Ｆ部１０８を備える。ＣＰＵ１０１は、アーカイブ先への画像データ送信がキャンセルされていない場合で、アーカイブ先への画像データ送信が正常に終了した場合は、回線Ｉ／Ｆ部１０８により画像データをユーザ指定の宛先に送信する。アーカイブ先への画像データ送信がキャンセルされた場合や、アーカイブ先への画像データ送信が正常に終了していない場合は、その旨を操作表示部１０６によりユーザに通知する。【選択図】図２
2011139272.tif 000002
【特許請求の範囲】
【請求項１】
画像データを生成する生成手段と、
画像データの管理を行うアーカイブ先を示す宛先を設定する第１の設定手段と、
前記生成手段により生成された画像データを前記第１の設定手段により設定されたアーカイブ先に送信する第１の送信手段と、
画像データを送信する宛先を設定する第２の設定手段と、
前記生成手段により生成された画像データを前記第２の設定手段により設定された宛先に送信する第２の送信手段と、
前記第１の送信手段による前記アーカイブ先への画像データの送信が成功した場合に、前記第２の送信手段による前記宛先への画像データの送信を行う制御手段と、
を備えることを特徴とする画像データ送信装置。
【請求項２】
前記制御手段は、前記第１の送信手段による前記アーカイブ先への画像データの送信がキャンセルされた場合、或いは前記アーカイブ先への画像データの送信にエラーが発生した場合は、前記第２の送信手段による前記宛先への画像データの送信を行わないことを特徴とする請求項１記載の画像データ送信装置。
【請求項３】
前記第２の送信手段による前記宛先への画像データの送信を行わなかった場合に、前記第２の設定手段により前記宛先を設定したユーザに前記宛先への画像データの送信を行わなかった旨を通知する通知手段を備えることを特徴とする請求項２記載の画像データ送信装置。
【請求項４】
前記アーカイブ先がエラー状態であることを設定する第３の設定手段を更に備え、
前記制御手段は、前記第３の設定手段により前記アーカイブ先がエラー状態であると設定されている場合は、前記第１の送信手段による前記アーカイブ先への画像データの送信を行わないことを特徴とする請求項１記載の画像データ送信装置。
【請求項５】
前記第３の設定手段は、前記第１の送信手段による前記アーカイブ先への画像データの送信にエラーが発生した場合に、前記アーカイブ先がエラー状態であることを設定することを特徴とする請求項４記載の画像データ送信装置。
【請求項６】
前記制御手段は、前記第２の設定手段により画像データ送信の宛先の設定が複数行われた場合は、前記第１の送信手段による前記アーカイブ先への画像データの送信よりも前記第２の送信手段による前記宛先への画像データの送信を優先させることを特徴とする請求項１記載の画像データ送信装置。
【請求項７】
前記第１の送信手段による前記アーカイブ先への画像データの送信を優先するかどうかを設定する第４の設定手段を更に備え、
前記制御手段は、前記第４の設定手段により前記アーカイブ先への画像データの送信を優先しないと設定されている場合、前記第２の送信手段による前記宛先への画像データの送信を行った後に前記第１の送信手段による前記アーカイブ先への画像データの送信を行うことを特徴とする請求項１記載の画像データ送信装置。
【請求項８】
画像データを生成する生成手段を備える画像データ送信装置の制御方法であって、
画像データの管理を行うアーカイブ先を示す宛先を設定する第１の設定工程と、
前記生成手段により生成された画像データを前記第１の設定工程により設定されたアーカイブ先に送信する第１の送信工程と、
画像データを送信する宛先を設定する第２の設定工程と、
前記生成手段により生成された画像データを前記第２の設定工程により設定された宛先に送信する第２の送信工程と、
前記第１の送信工程による前記アーカイブ先への画像データの送信が成功した場合に、前記第２の送信工程による前記宛先への画像データの送信を行う制御工程と、
を有することを特徴とする制御方法。
【請求項９】
画像データを生成する生成手段を備える画像データ送信装置の制御方法をコンピュータに実行させるためのコンピュータで読取り可能なプログラムであって、前記制御方法は、
画像データの管理を行うアーカイブ先を示す宛先を設定する第１の設定工程と、
前記生成手段により生成された画像データを前記第１の設定工程により設定されたアーカイブ先に送信する第１の送信工程と、
画像データを送信する宛先を設定する第２の設定工程と、
前記生成手段により生成された画像データを前記第２の設定工程により設定された宛先に送信する第２の送信工程と、
前記第１の送信工程による前記アーカイブ先への画像データの送信が成功した場合に、前記第２の送信工程による前記宛先への画像データの送信を行う制御工程と、
を有することを特徴とするプログラム。
【発明の詳細な説明】
【技術分野】
【０００１】
本発明は、画像データを指定の宛先に送信する画像データ送信装置、制御方法、及びプログラムに関する。
【背景技術】
【０００２】
従来、送信した画像データの情報漏洩や正しくない使用の抑止を目的とし、原稿から読取った画像データをユーザ指定の宛先だけでなくアーカイブ先へも自動的に送信する機能を有する画像データ送信装置（例えば複合機など）が知られている。アーカイブ先とは画像データ送信装置を管理する管理者や管理サーバなどの特定の宛先である。更に、より確実にアーカイブ先へ画像データを送信するために、アーカイブ先を示す宛先について削除をできないようにした画像データ送信装置が提案されている（例えば、特許文献１参照）。
【先行技術文献】
【特許文献】
【０００３】
【特許文献１】特登録３７０１５２３号
【発明の概要】
【発明が解決しようとする課題】
【０００４】
上述した従来の画像データ送信装置では、アーカイブ先を示す宛先への画像データの送信にエラーが発生した場合でも、ユーザ指定の宛先へは画像データを送信することが可能であるという問題がある。そのため、ユーザ指定の宛先に送信した画像データをアーカイブ先で管理したりバックアップしたりすることができないという問題がある。
【０００５】
本発明の目的は、設定された宛先へ画像データを送信する前にアーカイブ先への画像データの送信を確実に行うことを可能とした画像データ送信装置、制御方法、及びプログラムを提供することにある。
【課題を解決するための手段】
【０００６】
上記目的を達成するために、本発明は、画像データを生成する生成手段と、画像データの管理を行うアーカイブ先を示す宛先を設定する第１の設定手段と、前記生成手段により生成された画像データを前記第１の設定手段により設定されたアーカイブ先に送信する第１の送信手段と、画像データを送信する宛先を設定する第２の設定手段と、前記生成手段により生成された画像データを前記第２の設定手段により設定された宛先に送信する第２の送信手段と、前記第１の送信手段による前記アーカイブ先への画像データの送信が成功した場合に、前記第２の送信手段による前記宛先への画像データの送信を行う制御手段と、を備えることを特徴とする。
【発明の効果】
【０００７】
本発明によれば、アーカイブ先への画像データの送信が成功した場合に、設定された宛先への画像データの送信を行うので、設定された宛先へ画像データを送信する前にアーカイブ先への画像データの送信を確実に行うことが可能となる。
【図面の簡単な説明】
【０００８】
【図１】本発明の第１の実施の形態に係る画像データ送信装置の構成を示すブロック図である。
【図２】送信ジョブ指定時の処理を示すフローチャートである。
【図３ａ】本発明の第２の実施の形態に係る送信ジョブ指定時の処理を示すフローチャートである。
【図３ｂ】送信ジョブ指定時の処理を示すフローチャートである。
【図４】本発明の第３の実施の形態に係る送信ジョブ指定時の処理を示すフローチャートである。
【図５ａ】本発明の第４の実施の形態に係る送信ジョブ指定時の処理を示すフローチャートである。
【図５ｂ】送信ジョブ指定時の処理を示すフローチャートである。
【図５ｃ】送信ジョブ指定時の処理を示すフローチャートである。
【図６】送信ジョブ／アーカイブ先を示す宛先の送信待ちキュー／ユーザ指定の宛先の送信待ちキュー／画像データの送信順を示す図ある。
【図７】アーカイブ先への画像データ送信の有無／アーカイブ先宛先／アーカイブ先優先の有無を示す図である。
【発明を実施するための形態】
【０００９】
以下、本発明の実施の形態を図面に基づいて説明する。
【００１０】
〔第１の実施の形態〕
図１は、本発明の第１の実施の形態に係る画像データ送信装置の構成を示すブロック図である。
【００１１】
図１において、画像データ送信装置１００は、例えば複合機として構成されており、ＣＰＵ１０１、ＲＯＭ１０２、ＲＡＭ１０３、スキャナ部１０４、プリンタ部１０５、操作表示部１０６、ＣＯＤＥＣ１０７、回線Ｉ／Ｆ部１０８を備えている。ＣＰＵ１０１は、システム制御部であり、画像データ送信装置１００の全体を制御する。また、ＣＰＵ１０１は、制御プログラムを実行することで、図２（第１の実施の形態）、図３ａ・図３ｂ（第２の実施の形態）、図４（第３の実施の形態）、図５ａ・図５ｂ・図５ｃ（第４の実施の形態）の各フローチャートに示す処理を実行する。
【００１２】
ＲＯＭ１０２には、制御プログラムが格納されている。制御プログラムは、後述の各フローチャートに示す処理（送信ジョブ指定時の処理）をＣＰＵ１０１に実行させるためのプログラムである。ＲＡＭ１０３には、制御プログラム、プログラム制御変数、各種ワーク用バッファ、管理データ、送信待ちキュー（図６参照）、画像データ送信装置１００のユーザが登録した設定値（図７参照）、等が記憶される。送信待ちキュー、設定値（アーカイブ先への画像データ送信の有無／アーカイブ先宛先／アーカイブ先優先の有無）の詳細は後述する。
【００１３】
スキャナ部１０４は、原稿載置部、イメージセンサ（ＣＣＤ、或いはコンタクトイメージセンサなど）、原稿搬送機構（不図示）等から構成されている。スキャナ部１０４は、原稿載置部にセットされた原稿を原稿搬送機構により読取位置へ搬送し、イメージセンサにより原稿の画像を光学的に読取って電気的な画像データに変換（生成）する。プリンタ部１０５は、スキャナ部１０４により原稿から読取った画像データ、或いは画像データ送信装置１００が外部装置から受信した画像データ、或いはＲＡＭ１０３に保存されているファイルデータに基づき、記録紙に画像を印刷する。
【００１４】
操作表示部１０６は、キーボード、タッチパネル、ＬＣＤ、ＬＥＤ等から構成されており、ユーザによる各種入力操作（画像データを送信する宛先の入力など）、各種表示を行う際に用いる。ＣＯＤＥＣ（Coder Decoder）１０７は、ＪＢＩＧ、ＪＰＥＧ等の符号化及び復号化を行うモジュールであり、所定の規格に準拠した画像データの圧縮／伸張処理を実行する。回線インタフェース（Ｉ／Ｆ）部１０８は、モデム（変復調装置）、ＮＣＵ（網制御装置）等から構成されており、公衆網１０９を介して外部装置との間でファクシミリによる送受信を行う。
【００１５】
次に、上記の構成を備える本実施の形態の画像データ送信装置の動作について図２及び図７を参照しながら説明する。
【００１６】
図２は、本実施の形態に係る送信ジョブ指定時の処理を示すフローチャートである。図７は、アーカイブ先への画像データ送信の有無／アーカイブ先宛先／アーカイブ先優先の有無を示す図である。
【００１７】
図２において、画像データ送信装置１００のＣＰＵ１０１は、ユーザが操作表示部１０６から入力したユーザ指定の宛先を画像データ送信先として設定する（ステップＳ２０１：第２の設定手段）。次に、ＣＰＵ１０１は、原稿載置部にセットされた原稿をスキャナ部１０４で読取りを行い、読取った画像データをＲＡＭ１０３に保存する（ステップＳ２０２）。次に、ＣＰＵ１０１は、画像データをアーカイブ先（画像データ送信装置及び画像データの管理を行う管理者向けの特定宛先）に送信するかどうかを判断する（ステップＳ２０３）。画像データをアーカイブ先に送信するかどうかの設定（第１の設定手段）は、予めＲＡＭ１０３内の設定値７０１（図７参照）に保存されており、ＣＰＵ１０１は、設定値７０１を参照し上記判断を行う。
【００１８】
画像データをアーカイブ先に送信すると判断した場合は、ＣＰＵ１０１は、ステップＳ２０２で原稿から読取った画像データをアーカイブ先へ回線Ｉ／Ｆ部１０８により送信する（ステップＳ２０４：第１の送信手段）。アーカイブ先を示す宛先は、予めＲＡＭ１０３内の設定値７０２（図７参照）に保存されており、ＣＰＵ１０１は、設定値７０２に保存されたアーカイブ先を示す宛先に上記画像データを送信する。
【００１９】
次に、ＣＰＵ１０１は、ステップ２０４のアーカイブ先への画像データ送信が、ユーザによる操作表示部１０６からの操作によりキャンセルされたかどうかを判断する（ステップＳ２０５）。アーカイブ先への画像データ送信がキャンセルされていないと判断した場合は、ＣＰＵ１０１は、アーカイブ先への画像データ送信が正常に終了（成功）したかどうかを判断する（ステップＳ２０６）。アーカイブ先への画像データ送信が正常に終了したと判断した場合は、ＣＰＵ１０１は、ステップＳ２０２で原稿から読取った画像データをステップ２０１で設定されたユーザ指定の宛先に回線Ｉ／Ｆ部１０８により送信する（ステップＳ２０７：第２の送信手段）。これにより、本処理を終了する。
【００２０】
ステップＳ２０３で画像データをアーカイブ先に送信しないと判断した場合は、ＣＰＵ１０１は、ステップＳ２０２で原稿から読取った画像データをステップ２０１で設定されたユーザ指定の宛先に回線Ｉ／Ｆ部１０８により送信する（ステップＳ２０７）。これにより、本処理を終了する。
【００２１】
ステップＳ２０５でアーカイブ先への画像データ送信がキャンセルされたと判断した場合は、ＣＰＵ１０１は、画像データをユーザ指定の宛先に送信できなかったことを操作表示部１０６によりユーザに通知する（ステップＳ２０９）。これにより、本処理を終了する。
【００２２】
ステップＳ２０６でアーカイブ先への画像データ送信が正常に終了していない（エラーが発生した）と判断した場合（ステップＳ２０６でＮＯ）は、ＣＰＵ１０１は、画像データをアーカイブ先に送信できなかったことを操作表示部１０６によりユーザに通知する（ステップＳ２０８）。次に、ＣＰＵ１０１は、画像データをユーザ指定の宛先に送信できなかったことを操作表示部１０６によりユーザに通知する（ステップＳ２０９）。これにより、本処理を終了する。
【００２３】
尚、本実施の形態では、ステップＳ２０８における画像データをアーカイブ先に送信できなかったことを示す通知、ステップＳ２０９における画像データをユーザ指定の宛先に送信できなかったことを示す通知を、操作表示部１０６に表示した。本発明は、これに限定されるものではなく、プリンタ部１０５により通知結果をレポートとして印刷出力してもよい。
【００２４】
以上詳細に説明したように、本実施の形態によれば、アーカイブ先を示す宛先への画像データの送信が成功した場合に限りユーザ指定の宛先に画像データの送信を行う。これにより、ユーザ指定の宛先へ画像データを送信する前に、アーカイブ先を示す宛先への画像データの送信を確実に行うことが可能となる。
【００２５】
また、アーカイブ先への送信が正常に完了しなかった場合にはユーザが指定した宛先への送信は行われない。これにより、アーカイブ先で画像データが確実に保存されることが保証されずに宛先に対して画像データが送信されてしまうことを防止することができる。
【００２６】
〔第２の実施の形態〕
本発明の第２の実施の形態は、上記第１の実施の形態に対して、図３ａ、図３ｂで説明する点において相違する。本実施の形態のその他の要素は、上記第１の実施の形態（図１）の対応するものと同一なので説明を省略する。
【００２７】
図３ａ、図３ｂは、本実施の形態に係る送信ジョブ指定時の処理を示すフローチャートである。
【００２８】
図３ａ、図３ｂにおいて、画像データ送信装置１００のＣＰＵ１０１は、画像データをアーカイブ先に送信する設定で且つアーカイブ先がエラー状態であるかどうかを判断する（ステップＳ３０１）。画像データをアーカイブ先に送信する設定で且つアーカイブ先がエラー状態であると判断した場合は、ＣＰＵ１０１は、画像データ送信装置１００における送信ジョブの受付を不可状態に設定し（ステップＳ３０９）、本処理を終了する。画像データをアーカイブ先に送信する設定でなく且つアーカイブ先がエラー状態でないと判断した場合は、ＣＰＵ１０１は、ユーザが操作表示部１０６から入力したユーザ指定の宛先を画像データ送信先として設定する（ステップＳ３０２）。
【００２９】
次に、ＣＰＵ１０１は、原稿載置部にセットされた原稿をスキャナ部１０４で読取りを行い、読取った画像データをＲＡＭ１０３に保存する（ステップＳ３０３）。次に、ＣＰＵ１０１は、原稿から読取った画像データをアーカイブ先に送信するかどうかを判断する（ステップＳ３０４）。画像データをアーカイブ先に送信すると判断した場合は、ＣＰＵ１０１は、ステップＳ２０２で原稿から読取った画像データを回線Ｉ／Ｆ部１０８によりアーカイブ先へ送信する（ステップＳ３０５）。
【００３０】
次に、ＣＰＵ１０１は、アーカイブ先への画像データ送信がキャンセルされたかどうかを判断する（ステップＳ３０６）。アーカイブ先への画像データ送信がキャンセルされていないと判断した場合は、ＣＰＵ１０１は、アーカイブ先への画像データ送信が正常に終了したかどうかを判断する（ステップＳ３０７）。アーカイブ先への画像データ送信が正常に終了したと判断した場合は、ＣＰＵ１０１は、ステップＳ３０３で原稿から読取った画像データをステップ３０２で設定されたユーザ指定の宛先に回線Ｉ／Ｆ部１０８により送信する（ステップＳ３０８）。これにより、本処理を終了する。
【００３１】
ステップＳ３０４で画像データをアーカイブ先に送信しないと判断した場合は、ＣＰＵ１０１は、ステップ３０３で原稿から読取った画像データをステップＳ３０２で設定されたユーザ指定の宛先に回線Ｉ／Ｆ部１０８により送信する（ステップＳ３０８）。これにより、本処理を終了する。
【００３２】
ステップＳ３０６でアーカイブ先への画像データ送信がキャンセルされたと判断した場合は、ＣＰＵ１０１は、画像データをユーザ指定の宛先に送信できなかったことを操作表示部１０６によりユーザに通知する（ステップＳ３１２）。これにより、本処理を終了する。
【００３３】
ステップＳ３０７でアーカイブ先への画像データ送信が正常に終了しなかった判断した場合は、ＣＰＵ１０１は、画像データをアーカイブ先に送信できなかったことを操作表示部１０６によりユーザに通知する（ステップＳ３１０）。次に、ＣＰＵ１０１は、アーカイブ先がエラー状態である旨をＲＡＭ１０３にセットする（ステップＳ３１１：第３の設定手段）。
【００３４】
ＣＰＵ１０１は、これ以降の送信ジョブについて、ステップＳ３０１においてアーカイブ先がエラー状態であると判断することになる。また、ＣＰＵ１０１は、ユーザからの操作表示部１０６による操作の指示を受けてアーカイブ先のエラー状態の解除を行う（ステップＳ３１３）。次に、ＣＰＵ１０１は、画像データをユーザ指定の宛先に送信できなかったことを操作表示部１０６によりユーザに通知する（ステップＳ３１２）。これにより、本処理を終了する。
【００３５】
以上詳細に説明したように、本実施の形態によれば、上記第１の実施の形態の効果に加えて、予めアーカイブ先への画像データ送信が不可能な状態であることが分かっている場合、送信ジョブの受付自体を不可とすることが可能となる。
【００３６】
〔第３の実施の形態〕
本発明の第３の実施の形態は、上記第１の実施の形態に対して、図４で説明する点において相違する。本実施の形態のその他の要素は、上記第１の実施の形態（図１）の対応するものと同一なので説明を省略する。
【００３７】
図４は、本実施の形態に係る送信ジョブ指定時の処理を示すフローチャートである。
【００３８】
図４において、画像データ送信装置１００のＣＰＵ１０１は、ユーザが操作表示部１０６から入力したユーザ指定の宛先を画像データ送信先として設定する（ステップＳ４０１）。次に、ＣＰＵ１０１は、原稿載置部にセットされた原稿をスキャナ部１０４で読取りを行い、読取った画像データをＲＡＭ１０３に保存する（ステップＳ４０２）。次に、ＣＰＵ１０１は、画像データをアーカイブ先に送信するかどうかを判断する（ステップＳ４０３）。
【００３９】
画像データをアーカイブ先に送信すると判断した場合は、ＣＰＵ１０１は、アーカイブ先への画像データ送信を優先するかどうかを判断する（ステップＳ４０４）。アーカイブ先への画像データ送信を優先するかどうかの設定（第４の設定手段）は、予めＲＡＭ１０３内の設定値７０３（図７参照）に保存されており、ＣＰＵ１０１は、設定値７０３を参照し上記判断を行う。アーカイブ先への画像データ送信を優先しないと判断した場合は、ＣＰＵ１０１は、画像データをユーザ指定の宛先に送信した後（ステップＳ４０５）、画像データをアーカイブ先に送信する（ステップＳ４０６）。
【００４０】
ステップＳ４０３で画像データをアーカイブ先に送信しないと判断した場合は、ＣＰＵ１０１は、図２のステップＳ２０７へ処理を移行させる。ステップＳ４０４でアーカイブ先への画像データ送信を優先すると判断した場合は、ＣＰＵ１０１は、図２のステップＳ２０４へ処理を移行させる。
【００４１】
なお、アーカイブ先への画像データ送信を優先するかどうかの設定は、ユーザではなく、画像データ送信装置１００の管理者のみが設定できるようにしてもよい。
【００４２】
以上詳細に説明したように、本実施の形態によれば、ユーザの設定により、ユーザがアーカイブ先への画像データ送信をユーザ指定の宛先への画像データ送信より優先させるかどうかを決定することが可能となる。
【００４３】
〔第４の実施の形態〕
本発明の第４の実施の形態は、上記第１の実施の形態に対して、図５ａ、図５ｂ、図５ｃ、図６で説明する点において相違する。本実施の形態のその他の要素は、上記第１の実施の形態（図１）の対応するものと同一なので説明を省略する。
【００４４】
図５ａ、図５ｂ、図５ｃは、本実施の形態に係る送信ジョブ指定時の処理を示すフローチャートである。図６は、送信ジョブ／アーカイブ先を示す宛先の送信待ちキュー／ユーザ指定の宛先の送信待ちキュー／画像データの送信順を示す図ある。
【００４５】
図５ａ、図５ｂ、図５ｃにおいて、画像データ送信装置１００のＣＰＵ１０１は、ユーザにより操作表示部１０６から送信ジョブの指定があると、アーカイブ先を示す宛先をＲＡＭ１０３内の送信待ちキューの最後に追加する（ステップＳ５０１）。例えば図６の６０１、６０２、６０３に示すように、送信ジョブ（１）、送信ジョブ（２）、送信ジョブ（３）の順に複数の送信ジョブが指定されると、図６の６０４に示すように、アーカイブ先を示す宛先が次の送信宛先として送信待ちキューに追加される。
【００４６】
ＣＰＵ１０１は、アーカイブ先への画像データ送信が正常に終了すると、アーカイブ先を示す宛先を除いた送信待ちキューの最後に、対応するユーザ指定の宛先を追加する（ステップＳ５０２）。例えば図６の６０５に示すように、アーカイブ先（１）への画像データ送信が正常に終了すると、ユーザ指定（１）の宛先は、他にユーザ指定の宛先が送信待ちキューにないので、送信待ちキューの先頭に追加される。
【００４７】
次に、ＣＰＵ１０１は、画像データ送信装置１００がアーカイブ先と通信中であるかどうかを判断する（ステップＳ５０３）。画像データ送信装置１００がアーカイブ先と１通信（当該送信ジョブに対応した通信）が終了したと判断した場合、ＣＰＵ１０１は、送信待ちキューに未送信の待ち宛先（画像データ送信を待機している宛先）が存在するかどうかを判断する（ステップＳ５０４）。
【００４８】
送信待ちキューに未送信の待ち宛先がないと判断した場合、ＣＰＵ１０１は、次の送信宛先なしと判断し（ステップＳ５０７）、本処理を終了する。送信待ちキューに未送信の待ち宛先があると判断した場合、ＣＰＵ１０１は、送信待ちキューの先頭から送信宛先を取り出し（ステップＳ５０５）、取り出した送信宛先を次の送信宛先としてＲＡＭ１０３にセットし（ステップＳ５０６）、本処理を終了する。このことにより、図６の６０６に示すように、アーカイブ先（１）、ユーザ指定（１）、アーカイブ先（２）、ユーザ指定（２）、アーカイブ先（３）、ユーザ指定（３）、という順に画像データ送信が行われることになる。
【００４９】
以上詳細に説明したように、本実施の形態によれば、複数の送信ジョブが指定された（画像データ送信の宛先の設定が複数行われた）場合でも、先に投入された送信ジョブに関わるユーザ指定の宛先への画像データ送信を優先して実行することが可能となる。
【００５０】
〔他の実施の形態〕
また、本発明は、以下の処理を実行することによっても実現される。即ち、上述した実施の形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００５１】
１００  画像データ送信装置
１０１  ＣＰＵ
１０３  ＲＡＭ
１０４  スキャナ部
１０５  プリンタ部
１０６  操作表示部
【図１】
2011139272.tif 000003
【図２】
2011139272.tif 000004
【図３ａ】
2011139272.tif 000005
【図３ｂ】
2011139272.tif 000006
【図４】
2011139272.tif 000007
【図５ａ】
2011139272.tif 000008
【図５ｂ】
2011139272.tif 000009
【図５ｃ】
2011139272.tif 000010
【図６】
2011139272.tif 000011
【図７】
2011139272.tif 000012